(57)【要約】【課題】反射型表示装置において、画質の低下を抑制しつつ、良好な白色表現を可能にする。【解決手段】表示システム１００は、スタンド装置１０Ａと、表示装置２０Ａとを備える。スタンド装置１０Ａは、表示装置２０Ａを所定の角度に傾けて支持し、この表示装置２０Ａの表示面に光を照射する。ここにおいて、スタンド装置１０Ａは、表示装置２０Ａの表示面の下方から光を照射する。スタンド装置１０Ａは、観察者が表示面からの反射光を視認するときに、その反射光が白味を増して視認されるように光を照射する。【選択図】図１
2008170575.tif 000002
【特許請求の範囲】
【請求項１】
反射型の表示装置の表示面がある角度をなすように当該表示装置を支持する支持手段と、
前記支持手段により支持された表示装置の表示面が白味を増して視認されるように、ある位置から当該表示面に光を照射する照射手段と
を備えることを特徴とするスタンド装置。
【請求項２】
前記表示装置の表示面は、四辺形であり、
前記支持手段は、前記表示面のある辺の位置が、その対向する辺の位置よりも低くなるように前記表示装置を支持し、
前記照射手段は、前記ある辺の側から前記表示面に光を照射する
ことを特徴とする請求項１に記載のスタンド装置。
【請求項３】
前記照射手段は、照射する光の色が異なる複数の光源を有し、
前記複数の光源の照射強度をそれぞれ決定する決定手段をさらに備える
ことを特徴とする請求項１に記載のスタンド装置。
【請求項４】
外光を検知する検知手段をさらに備え、
前記決定手段は、前記検知手段により検知された外光に基づいて前記複数の光源の照射強度をそれぞれ決定する
ことを特徴とする請求項３に記載のスタンド装置。
【請求項５】
前記決定手段は、前記検知手段により検知された外光と前記複数の光源が照射する光とを合成した場合に、その合成した光が決められた特性を有するように前記複数の光源の照射強度をそれぞれ決定する
ことを特徴とする請求項４に記載のスタンド装置。
【請求項６】
前記表示装置から前記表示面に関する情報を取得する取得手段をさらに備え、
前記決定手段は、前記取得手段により取得された情報に基づいて前記複数の光源の照射強度をそれぞれ決定する
ことを特徴とする請求項３に記載のスタンド装置。
【請求項７】
前記複数の光源が、発光ダイオードまたはレーザであることを特徴とする請求項３に記載のスタンド装置。
【請求項８】
前記照射手段は、
前記表示面を含む第１の領域を指向する光を照射する第１の光源と、
前記表示面を含み、かつ、前記第１の領域と異なる第２の領域を指向する光を照射する第２の光源とを有し、
前記第１の領域における外光を検知する第１の検知手段と、
前記第２の領域における外光を検知する第２の検知手段と、
前記第１の検知手段により検知された外光に基づいて前記第１の光源の照射強度を決定し、前記第２の検知手段により検知された外光に基づいて前記第２の光源の照射強度を決定する決定手段とをさらに備える
ことを特徴とする請求項１に記載のスタンド装置。
【請求項９】
前記照射手段が、前記表示面の視野角がなす範囲の外側から光を照射することを特徴とする請求項１に記載のスタンド装置。
【請求項１０】
外光を反射することにより画像を表示する表示面を備える表示装置と、
前記表示装置の表示面がある角度をなすように当該表示装置を支持する支持手段と、
前記支持手段により支持された表示装置の表示面が白味を増して視認されるように、ある位置から当該表示面に光を照射する照射手段とを備えるスタンド装置と
を備えることを特徴とする表示システム。
【請求項１１】
前記表示面は、所定の波長域の光の反射率がその他のある波長域の光の反射率より小であり、
前記照射手段は、前記所定の波長域の光の強度が、その他の波長域の光の強度より大である光を照射する
ことを特徴とする請求項１０に記載の表示システム。
【請求項１２】
前記表示面は、コレステリック液晶により画像を表示し、
前記照射手段は、前記所定の波長域が青の波長域である光を照射する
ことを特徴とする請求項１１に記載の表示システム。
【発明の詳細な説明】
【技術分野】
【０００１】
本発明は、反射型表示を行う表示装置の見やすさを向上させるための技術に関する。
【背景技術】
【０００２】
反射型表示を行う表示装置（以下「反射型表示装置」という。）が電子ペーパ等に利用されている。ここにおいて、反射型表示とは、外光を反射して画像を表示する表示方式であり、例えば、コレステリック液晶の表示方式がそうである。反射型表示装置は、バックライトを有する透過型表示装置や、ＥＬ（Electro Luminescence）ディスプレイ等の自発光型表示装置と比べると、外光を拡散的に反射する紙の表示方式に近いものであるため、見やすく、目を疲労させないという特長がある。
【０００３】
一方、反射型表示装置には欠点もある。例えば、反射型表示装置による表示は外光に依存するため、外光が変化すると色味が変化してしまう。また、コレステリック液晶のように、その組成によってブラッグ反射を生じる場合は、特定の波長域の光の反射率が高くなってしまうため、白色を表現することが困難である。加えて、白色を表現することが困難であることにより、明部と暗部のコントラストが不十分になりがちである。
このような反射型表示装置の欠点を補う技術としては、いわゆるフロントライトを用いるものがある（例えば、特許文献１参照）。
【特許文献１】特開平１０−１４２６０１号公報
【発明の開示】
【発明が解決しようとする課題】
【０００４】
しかし、表示体の前面にフロントライト等を設けると、モアレが生じたり、画像が奥まった感じで知覚されたりするようになる。その結果、画像の視認性が妨げられ、画質を低下させるおそれがある。
そこで、本発明は、反射型表示装置において、画質の低下を抑制しつつ、良好な白色表現を可能にする技術を提供することを目的としている。
【課題を解決するための手段】
【０００５】
上述した目的を達成するために、本発明に係るスタンド装置は、反射型の表示装置の表示面がある角度をなすように当該表示装置を支持する支持手段と、前記支持手段により支持された表示装置の表示面が白味を増して視認されるように、ある位置から当該表示面に光を照射する照射手段とを備える。
かかるスタンド装置によれば、より実際の白色に近い白色表示を実現することが可能となる。また、このスタンド装置によれば、観察者が表示装置を把持することなく観察を行うことができるので、観察者の視覚的な疲労のみならず、肉体的な疲労も軽減することが可能となり、長時間見続けることをより容易にできる。
【０００６】
また、本発明のスタンド装置において、前記表示装置の表示面が四辺形である場合には、前記支持手段は、前記表示面のある辺の位置が、その対向する辺の位置よりも低くなるように前記表示装置を支持し、前記照射手段は、前記ある辺の側から前記表示面に光を照射する構成を採用してもよい。このようにすれば、照射手段により下方から上方へと光が照射されるので、この光の正反射光が観察者の目に入ることを抑制することができる。また、このようにすれば、表示装置を広告等の目的で設置する場合に、表示装置を水平にしたときよりも設置に要する面積を減らすことが可能となる。
【０００７】
また、本発明のスタンド装置において、前記照射手段は、照射する光の色が異なる複数
の光源を有し、前記複数の光源の照射強度をそれぞれ決定する決定手段をさらに備える構成を採用してもよい。このようにすれば、外光、すなわちスタンド装置の周囲から表示装置の表示面にに入射する光の色味が変化することがあっても、それに応じて照射手段が照射する光の色をより詳細に変化させることが可能となる。
また、この場合において、外光を検知する検知手段をさらに備え、前記決定手段は、前記検知手段により検知された外光に基づいて前記複数の光源の照射強度をそれぞれ決定する構成を採用してもよい。このようにすれば、スタンド装置が外光に応じた照射強度を決定し、決定した照射強度で光を照射させることが可能となる。
さらに、前記決定手段は、前記検知手段により検知された外光と前記複数の光源が照射する光とを合成した場合に、その合成した光が決められた特性を有するように前記複数の光源の照射強度をそれぞれ決定する構成とすると、より望ましい。このようにすれば、外光が変化した場合であっても、観察者の観察方向への拡散反射光をほぼ一定にすることが可能となる。
【０００８】
また、本発明のスタンド装置において、上述した決定手段を備える構成である場合に、前記表示装置から前記表示面に関する情報を取得する取得手段をさらに備え、前記決定手段は、前記取得手段により取得された情報に基づいて前記複数の光源の照射強度をそれぞれ決定する構成を採用してもよい。このようにすれば、表示面の特性が異なる複数の種類の表示装置がある場合であっても、それぞれの表示装置に応じた光を照射することが可能となる。
【０００９】
また、本発明のスタンド装置において、上述した複数の光源を備える構成である場合に、その複数の光源は、照射する光の制御が容易な光源であると望ましい。このような光源としては、例えば、発光ダイオードやレーザがある。
また、特に、反射型液晶のように、表示面による表示に温度依存性がある場合には、赤外線の放射が少ない光源を用いるのが望ましい。上述した発光ダイオードやレーザであれば、このような点においても有利であるといえる。
【００１０】
また、本発明のスタンド装置において、前記照射手段は、前記表示面を含む第１の領域を指向する光を照射する第１の光源と、前記表示面を含み、かつ、前記第１の領域と異なる第２の領域を指向する光を照射する第２の光源とを有し、前記第１の領域における外光を検知する第１の検知手段と、前記第２の領域における外光を検知する第２の検知手段と、前記第１の検知手段により検知された外光に基づいて前記第１の光源の照射強度を決定し、前記第２の検知手段により検知された外光に基づいて前記第２の光源の照射強度を決定する決定手段とをさらに備える構成を採用してもよい。このようにすれば、外光が表示面の全体で一定でない場合であっても、その外光のむらに応じた光を照射することが可能となる。
【００１１】
また、本発明のスタンド装置において、前記照射手段が、前記表示面の視野角がなす範囲の外側から光を照射する構成を採用してもよい。このようにすれば、観察者が、視野角の範囲内であり、かつ、ある程度離間した位置から観察することにより、照射手段からの光による正反射光を視野に含まないようにすることができる。
【００１２】
また、本発明は、スタンド装置と表示装置とを備える表示システムとしても特定され得る。例えば、本発明に係る表示システムは、外光を反射することにより画像を表示する表示面を備える表示装置と、前記表示装置の表示面がある角度をなすように当該表示装置を支持する支持手段と、前記支持手段により支持された表示装置の表示面が白味を増して視認されるように、ある位置から当該表示面に光を照射する照射手段とを備えるスタンド装置とを備えるものである。
【００１３】
また、本発明の表示システムにおいて、前記表示面は、所定の波長域の光の反射率がその他のある波長域の光の反射率より小であり、前記照射手段は、前記所定の波長域の光の強度が、その他の波長域の光の強度より大である光を照射する構成を採用してもよい。このようにすれば、表示面の反射率に波長依存性がある場合であっても、照射手段によってこれを補うべく光を照射することが可能となる。具体的には、例えば、前記表示面が、コレステリック液晶により画像を表示し、前記照射手段は、前記所定の波長域が青の波長域である光を照射する場合である。
【発明を実施するための最良の形態】
【００１４】
以下、図面を参照して本発明の実施の形態を説明する。
［第１実施形態］
図１および図２は、本発明の第１の実施形態である表示システム１００の外観を示す図である。この表示システム１００は、反射型表示を行う表示装置２０Ａと、この表示装置２０Ａを着脱可能に支持するスタンド装置１０Ａとを備える。表示装置２０Ａは、正面から見ると長方形状であり、所定の厚さを有している。なお、以下においては、図１において上方に示した表示装置２０Ａの辺を「上辺」、下方に示した表示装置２０Ａの辺を「下辺」といい、これらの左右の辺をそれぞれ「右辺」、「左辺」という。
【００１５】
図２は、表示システム１００を表示装置２０Ａの右辺側から示した図である。スタンド装置１０Ａの構成は、基台部１０αと載置部１０βとに大別される。基台部１０αは、設置面に接する平面と、載置部１０βを支持する軸を有する。載置部１０βは、基台部１０αにより支持されて、所定の傾きを維持する。載置部１０βは、この傾きを維持した状態で表示装置２０Ａを支持する。同図に示すように、載置部１０βは、表示装置２０Ａの上方が下方よりも高い位置になるように表示装置２０Ａを支持する。
【００１６】
なお、載置部１０βの傾きは、観察者の都合に応じて適宜定めればよい。また、基台部１０αの軸と載置部１０βとが接合される部分に載置部１０βの傾きを調節する機構を設け、その傾きを自在に変化させられるようにしてもよい。また、設置面積を可能な限り小さくしたい場合であれば、スタンド装置１０Ａは、表示装置２０Ａが設置面に対して垂直となるようにこれを支持してもよい。
【００１７】
次に、スタンド装置１０Ａの電気的構成について説明する。なお、スタンド装置１０Ａは、電池等の電源を内蔵していてもよいし、プラグ等を介して外部電源から電力の供給を受けてもよい。
図３は、スタンド装置１０Ａの電気的構成を示すブロック図である。同図に示すように、スタンド装置１０Ａは、光センサ部１１と、制御部１２と、光源駆動部１３と、光源部１４と、載置センサ部１５とを備える。これらの各部は、上述した電源から電力の供給を受けて動作する。
【００１８】
光センサ部１１は、外光センサ１１Ｒ、１１Ｂおよび１１Ｇを有し、それぞれが異なる波長域で外光を検知する。外光センサ１１Ｒ、１１Ｂおよび１１Ｇは、それぞれ、赤（Ｒ）、青（Ｂ）または緑（Ｇ）の波長域のいずれかに感度のピークを有するセンサであり、外光の特定の波長域の成分を受光する。外光センサ１１Ｒ、１１Ｂおよび１１Ｇは、それぞれ、受光量に応じた検知信号を生成し、制御部１２に供給する。
なお、外光センサ１１Ｒ、１１Ｂおよび１１Ｇは、載置部１０βの適当な位置に露出して設けられている。外光センサ１１Ｒ、１１Ｂおよび１１Ｇの位置は、表示装置２０Ａの表示面の近傍であり、かつ、光源部１４により照射される光の影響を極力受けない位置であると望ましい。
【００１９】
制御部１２は、ＣＰＵ（Central Processing Unit）等の演算処理装置と、ＲＯＭ（Rea
d Only Memory）やＲＡＭ（Random Access Memory）等のメモリとを有し、あらかじめ記
憶されたプログラムを実行してスタンド装置１０Ａの各部を制御する。具体的には、制御部１２は、光センサ部１１から取得した検知信号に基づいて、光源部１４をどのように駆動させるかを決定する。そして、制御部１２は、決定された駆動態様を示す制御信号を生成し、光源駆動部１３に供給する。制御部１２が生成する制御信号は、後述するＬＥＤアレイ１４Ｒ、１４Ｇおよび１４Ｂのそれぞれの照射強度を表す信号である。光源駆動部１３は、光源部１４を駆動するための駆動回路を有し、制御部１２によって決定された駆動態様で後述するＬＥＤアレイ１４Ｒ、１４Ｇおよび１４Ｂに光を照射させる。
【００２０】
光源部１４は、赤（Ｒ）、青（Ｂ）または緑（Ｇ）の波長域の光を照射するＬＥＤアレイ１４Ｒ、１４Ｇおよび１４Ｂを備える。ＬＥＤアレイ１４Ｒ、１４Ｇおよび１４Ｂは、それぞれ、複数のＬＥＤ（Light Emitting Diode）、すなわち発光ダイオードを１列に配した光源であり、表示装置２０Ａの表示面に表示装置の下辺側から光を照射する。
なお、以下においては、光源部１４が照射する光を「照射光」という。
【００２１】
図４は、ＬＥＤアレイ１４Ｒ、１４Ｇおよび１４Ｂの構造を概略的に示す図である。ＬＥＤアレイ１４Ｒ、１４Ｇおよび１４Ｂは、それぞれ、ｎ個のＬＥＤ１４１Ｒ、１４２Ｒ、…、１４ｎＲ、１４１Ｇ、１４２Ｇ、…、１４ｎＧおよび１４１Ｂ、１４２Ｂ、…、１４ｎＢを有する。なお、このｎの値は任意である。なお、ＬＥＤアレイ１４Ｒ、１４Ｇおよび１４ＢのＬＥＤの配列方向は、表示装置２０Ａの下辺とほぼ平行である。
【００２２】
図５は、光源部１４の位置と表示装置２０Ａの表示面２０Ｄとの関係を示す図である。なお、同図においては、光源部１４からの光を一点鎖線で表し、表示面２０Ｄの視野角をθで表している。ここにおいて、視野角とは、観察者が表示面２０Ｄを良好に視認し得る観察方向の範囲を示すものである。すなわち、観察者の観察方向が視野角θの示す範囲内であれば、観察者は表示面２０Ｄを良好に視認し得るということである。
【００２３】
図５に示すように、光源部１４は、視野角θがなす範囲（図においてハッチングで示した範囲）の外側から光を照射する。その結果、光源部１４から照射された光による反射光のうち、表示面２０Ｄにおいて反射した正反射光は、その全てが視野角θがなす範囲の外側へと出射される。すなわち、図５に示す構成の場合、観察者が視野角θの示す範囲内であり、かつ、表示面２０Ｄと適度に離間した位置から観察を行えば、観察者の目に光源部１４からの光による正反射光は入射しなくなる。つまり、この構成によれば、光源の映り込みが視認されるのを抑えることが可能となる。
【００２４】
載置センサ部１５は、載置部１０βに表示装置２０Ａが載置されているか否かを検知するセンサを有する。このセンサは、表示装置２０Ａに相当する重量を検知するものであってもよいし、表示装置２０Ａの接触の有無を検知するものであってもよい。あるいは、このセンサは、表示装置２０Ａの有無を光学的に検知するものであってもよい。載置センサ部１５は、表示装置２０Ａが載置されているか否かを示す検知信号を制御部１２に供給する。
【００２５】
続いて、表示装置２０Ａの構成を説明する。なお、表示装置２０Ａは、電池等の電源を内蔵していてもよいし、プラグ等を介して外部電源から電力の供給を受けてもよい。
図６は、表示装置２０Ａの構成を示すブロック図である。同図に示すように、表示装置２０Ａは、制御部２１と、記憶部２２と、操作部２３と、表示体駆動部２４と、反射型表示体２５とを備える。これらの各部は、上述した電源から電力の供給を受けて動作する。
【００２６】
制御部２１は、ＣＰＵ等の演算処理装置と、ＲＯＭやＲＡＭ等のメモリとを有し、あらかじめ記憶されたプログラムを実行して表示装置２０Ａの各部を制御する。記憶部２２は
、フラッシュメモリ等の記憶媒体を有し、反射型表示体２５に表示される画像を表す表示データを記憶する。この表示データが表す画像は、いわゆるビットマップ画像である。すなわち、表示データは、所定の階調値を有するドットの集合を表すデータである。なお、記憶部２２は、いわゆるメモリカードのような着脱可能な記憶媒体を読み出す構成を有していてもよい。操作部２３は、ボタン等の複数の操作子を有し、観察者からの指示を受け付ける。操作部２３は、観察者からの指示を受け付けると、これを表す操作信号を制御部２１に供給する。
【００２７】
表示体駆動部２４は、反射型表示体２５の動作を制御する駆動回路を有する。表示体駆動部２４は、表示データを反射型表示体２５に供給するとともに、反射型表示体２５に供給する電力のオン・オフを制御する。反射型表示体２５は、反射性液晶による液晶層を有する表示体であり、上述した表示面を構成する。ここにおいて、反射型液晶とは、外光を反射することにより表示を行う液晶のことであり、本実施形態においては、この反射型液晶としてコレステリック液晶を用いる。なお、コレステリック液晶は、いわゆる記憶性液晶であり、電圧を印加しなくても表示状態（すなわち階調）を維持することが可能である。また、反射型表示体２５は、複数行複数列の画素を有し、それぞれの画素は、供給される表示データに応じた階調となる。反射型表示体２５の階調数は任意であるが、本実施形態においては、モノクロの１６階調とする。
【００２８】
ここで、コレステリック液晶の表示原理を概説する。コレステリック液晶による液晶層の光の反射率は、コレステリック液晶分子の配向状態によって異なる。コレステリック液晶分子がプレーナ（Planar）配向状態であるときは、コレステリック液晶分子は入射光を選択的に反射する。一方、コレステリック液晶分子がフォーカルコニック（Focal conic
）配向状態であるときは、コレステリック液晶分子は入射光を透過する。なお、コレステリック液晶分子を透過した入射光は、光吸収層により吸収される。これにより、コレステリック液晶分子は、プレーナ配向状態で白色表示を実現し、フォーカルコニック配向状態で黒色表示を実現する。また、これらの配向状態を調節することにより中間調の表示も可能である。しかし、コレステリック液晶分子の白色表示は、ブラッグ反射によるものであるため、実際の表示は不完全な白色となる。一般に、コレステリック液晶分子の白色表示は、緑がかった色となっている。これは、人間の比視感度が緑の波長域で最大となるためである。
【００２９】
以上の構成のもと、表示装置２０Ａは、表示データに応じた画像を表示面に表示する。具体的には、表示装置２０Ａの制御部２１が、記憶部２２から表示データを読み出し、これを表示体駆動部２４に供給することにより画像の表示を行う。また、制御部２１は、必要に応じて新たな表示データを供給し、表示面に表示する画像を切り替える。画像の切り替えは、例えば、あらかじめ決められた時間間隔で行ってもよいし、操作部２３が指示を受け付けたタイミングで行ってもよい。
【００３０】
続いて、かかる表示システム１００におけるスタンド装置１０Ａの動作を説明する。
図７は、スタンド装置１０Ａの動作を示すフローチャートである。この動作は、スタンド装置１０Ａに電力が供給され、表示装置２０Ａが表示を行っているときに、スタンド装置１０Ａの制御部１２によって実行されるものである。同図に沿って説明すると、はじめに制御部１２は、光センサ部１１から検知信号を取得する（ステップＳ１）。この検知信号は、Ｒ、ＧおよびＢの波長域毎の外光の強度を表すものである。
【００３１】
次に、制御部１２は、光センサ部１１から取得した検知信号に基づいて、ＬＥＤアレイ１４Ｒ、１４Ｇおよび１４Ｂのそれぞれの照射強度を決定する（ステップＳ２）。具体的には、制御部１２は、外光と照射光とを合成した光を仮定した場合に、その光の表示面（白色表示であるとする）における反射光が示す分光強度特性が所定の理想的な特性（以下
「理想特性」という。）となるよう、ＬＥＤアレイ１４Ｒ、１４Ｇおよび１４Ｂのそれぞれの照射強度を決定する。なお、ここにおける理想特性は、制御部１２のメモリにデータとしてあらかじめ記憶されているものとする。また、理想特性は、単一のパターンの分光強度特性のみを表すものではなく、あるパターンの分光強度特性と当該パターンに類似するパターンの分光強度特性とを含むものであってよい。
【００３２】
ここで、ある条件を想定し、ステップＳ２の処理をより詳細に説明する。なお、ここでは、本発明を容易に理解せしめるべく、その内容を概念的に説明する。
図８は、上述した理想特性を例示した模式図である。なお、同図（および以降の同様の図）においては、波長λ1〜λ2を青の波長域、波長λ2〜λ3を緑の波長域、波長λ3〜λ4を赤の波長域であるとする。同図に示すように、この理想特性においては、各波長域における分光強度がほぼ一様となり、その結果、反射光が白色として観察者に知覚される。
また、図９は、ある条件で外光が照射された場合におけるその外光の反射光の分光強度特性を例示した模式図である。この反射光は、青の波長域の分光強度が他の波長域よりも小であるため、結果として黄味がかった色として観察者に知覚される。
ここで、図１０は、図９に示すような分光強度特性を示す光が照射された場合において、外光と照射光とを合成した光の反射光が理想特性となるときにおける照射光の反射光の分光強度特性を例示した模式図である。これはつまり、図８に示す理想特性と図９に示した分光強度特性の差分に相当するものである。
【００３３】
分光強度特性が図１０のようになる照射光が照射されれば、反射光は白色として観察者に知覚される。そこで、制御部１２は、このような照射光を照射するために必要なＬＥＤアレイ１４Ｒ、１４Ｇおよび１４Ｂの照射強度を演算により求める。なお、この演算を行うためには、検知された外光とその反射光の分光反射特性の対応関係と、照射光の照射強度とその反射光の分光反射特性の対応関係とが既知である必要がある。そのため、制御部１２は、これらの対応関係をあらかじめデータ（ルックアップテーブル等）としてメモリに記憶している。
【００３４】
ここで、図７のフローチャートの説明に戻る。以上のようにＬＥＤアレイ１４Ｒ、１４Ｇおよび１４Ｂのそれぞれの照射強度を決定したら、制御部１２は、この決定に応じた光を照射する旨を表す制御信号を生成し、これを光源駆動部１３に供給する（ステップＳ３）。これにより、光源部１４は、決定された照射強度の光をＬＥＤアレイ１４Ｒ、１４Ｇおよび１４Ｂにより照射する。
【００３５】
続いて、制御部１２は、上述したステップＳ１〜Ｓ３の動作を行ってから所定の時間が経過したか否かを判断する（ステップＳ４）。そして、ステップＳ１〜Ｓ３の処理を行ってから所定の時間が経過した場合、制御部１２は、この動作を終了させるか否かを判断する（ステップＳ５）。具体的には、制御部１２は、載置センサ部１５からの検知信号によりこの判断を行う。制御部１２は、表示装置２０Ａが載置されていない旨の検知信号を取得した場合は、この動作を終了させる旨の判断をする一方、表示装置２０Ａが載置されている旨の検知信号を取得した場合は、ステップＳ１からの処理を再度実行する。
なお、照射光の調整を連続的に行いたい場合であれば、上述したステップＳ４の処理は省いてもよい。
【００３６】
本実施形態の表示システム１００の構成および動作は以上のとおりである。この表示システム１００によれば、観察者が表示装置２０Ａに表示された画像を観察する際に、外光により受ける影響を低減させることが可能となる。この表示システム１００によれば、外光の変化に応じて光源部１４による照射光の照射強度が変化するため、このような構成を有さない場合に比べ、観察される画像の色味の変化を抑制することが可能となる。また、表示システム１００によれば、外光のみにより観察をする場合に比べ、より実際の白色に
近い白色表示を行うことが可能となる。
【００３７】
［第２実施形態］
続いて、本発明の第２の実施形態を説明する。本実施形態は、上述した第１実施形態のスタンド装置１０Ａの構成の一部を変更したものである。なお、表示装置については、上述した第１実施形態の表示装置２０Ａと同様である。そのため、本実施形態においては、上述した第１実施形態と異なる部分、すなわちスタンド装置の構成および動作を中心に説明する。なお、本実施形態の構成については、第１実施形態と同様のものには同一の符号を付し、その説明を適宜省略することとする。
【００３８】
図１１は、本実施形態のスタンド装置１０Ｂの電気的構成を示すブロック図である。同図に示すように、スタンド装置１０Ｂは、４つの光センサ部１１と、制御部１２ｂと、２つの光源駆動部１３と、２つの光源部１４と、載置センサ部１５とを備える。すなわち、本実施形態のスタンド装置１０Ｂは、上述したスタンド装置１０Ａと比較すると、光センサ部１１の数が４倍、光源駆動部１３および光源部１４の数が２倍となっている。４つの光センサ部１１は、それぞれが異なる位置で外光を検知する。また、２つの光源部１４は、それぞれ異なる位置に光を照射する。２つの光源駆動部１３は、それぞれ、この２つの光源部１４のいずれかの駆動を制御する。
【００３９】
図１２は、表示装置２０Ａを載置した状態のスタンド装置１０Ｂの外観を示す図であり、光センサ部１１と光源部１４の位置を示す図である。なお、同図は、スタンド装置１０Ｂを観察側の正面から示したものである。また、ここでは、同図に示したように、表示装置２０Ａの表示面２０Ｄの中心Ｏを基準に上下と左右に区切った領域を、それぞれ「領域Ｌ１」、「領域Ｌ２」、「領域Ｒ１」および「領域Ｒ２」と定義する。領域Ｌ１、Ｌ２、Ｒ１およびＲ２は、それぞれ、表示面２０Ｄの左上部分、左下部分、右上部分および右上部分のそれぞれを含む領域である。すなわち、これらの符号は、「Ｌ」が左、「Ｒ」が右をそれぞれ表し、「１」が上、「２」が下をそれぞれ表している。
【００４０】
４つの光センサ部１１は、上述した領域Ｌ１、Ｌ２、Ｒ１およびＲ２のいずれかに含まれる位置に設けられている。そこで、ここでは便宜的に、領域Ｌ１に設けられた光センサ部１１を「光センサ部１１Ｌ１」といい、以下同様に、領域Ｌ２、Ｒ１およびＲ２に設けられた光センサ部１１を、それぞれ、「光センサ部１１Ｌ２」、「光センサ部１１Ｒ１」および「光センサ部１１Ｒ２」といい、図１２においても同様の記載としている。すなわち、光センサ部１１Ｌ１、１１Ｌ２、１１Ｒ１および１１Ｒ２は、それぞれ、領域Ｌ１、Ｌ２、Ｒ１およびＲ２のそれぞれにおいて外光を検知し、受光量に応じた検知信号を生成して制御部１２ｂに供給する。
光センサ部１１Ｌ１、１１Ｌ２、１１Ｒ１および１１Ｒ２は、それぞれ、領域Ｌ１、Ｌ２、Ｒ１およびＲ２のそれぞれにおける外光を検知する手段として機能する。なお、厳密にいえば、領域Ｌ１、Ｌ２、Ｒ１およびＲ２のそれぞれにおける外光は一定でなく、領域内で変動を生じ得るが、ここでは一定であるとみなしている。
【００４１】
また、２つの光源部１４は、表示装置２０Ａの上辺側と下辺側とにそれぞれ設けられる。以下では、上辺側の光源部１４のことを「光源部１４１」といい、下辺側の光源部１４のことを「光源部１４２」という。光源部１４１は、表示面のうちの領域Ｒ１およびＬ１に含まれる領域に向けて光を照射する。一方、光源部１４２は、表示面のうちの領域Ｒ２およびＬ２に含まれる領域に向けて光を照射する。つまり、光源部１４１は、表示面の上方に光を照射し、光源部１４２は、表示面の下方に光を照射するということである。
なお、説明の便宜上、以下においては、表示面のうちの領域Ｒ１およびＬ１に含まれる領域を「第１の領域」、表示面のうちの領域Ｒ２およびＬ２に含まれる領域を「第２の領域」という。
【００４２】
制御部１２ｂは、光センサ部１１Ｌ１、１１Ｌ２、１１Ｒ１および１１Ｒ２から検知信号を取得し、これらの検知信号に基づいて２種類の制御信号を生成し、２つの光源駆動部１３にそれぞれを供給する。具体的には、制御部１２ｂは、光センサ部１１Ｌ１および１１Ｒ１からの検知信号に基づいて光源部１４１の駆動を制御する制御信号を生成し、光センサ部１１Ｌ２および１１Ｒ２からの検知信号に基づいて光源部１４２の駆動を制御する制御信号を生成する。なお、制御部１２ｂによる２つの検知信号の用い方は任意であるが、例えば、上述した第１実施形態と同様の方法で制御信号を生成するのであれば、２つの検知信号が示す値の平均値を用いればよい。
【００４３】
このようにすれば、スタンド装置１０Ｂは、第１の領域と第２の領域の双方で外光を検知し、それぞれの検知結果に応じて照射光を制御することが可能となる。これにより、例えば、表示面に入射する外光が均等でない場合であっても、表示面の全体について良好な白色表示を実現することが可能となる。
【００４４】
なお、本実施形態において、光源駆動部１３が光源部１４の個々のＬＥＤによる照射強度を個別に制御できる場合には、制御部１２ｂは、照射強度を表示面の右方と左方とで異ならせるような制御信号を供給するようにしてもよい。例えば、光センサ部１１Ｌ１（すなわち第１の領域の左方）で検知された外光よりも光センサ部１１Ｒ１（すなわち第１の領域の右方）で検知された外光の方が明るいような場合、制御部１２ｂは、光源部１４１の左方から右方に向けて徐々に照射強度が弱くなるような制御信号を生成および供給してもよい。
【００４５】
［第３実施形態］
続いて、本発明の第３の実施形態を説明する。本実施形態は、スタンド装置と表示装置とを電気的に接続し、スタンド装置が表示装置からの情報を取得できるようにしたものである。なお、本実施形態においては、上述した第１および第２実施形態とは異なり、外光を検知する構成は設けられていない。また、本実施形態の構成についても、第１実施形態と同様のものには同一の符号を付し、その説明を適宜省略することとする。
【００４６】
図１３は、本実施形態の表示装置２０Ｃの構成を示すブロック図である。この表示装置２０Ｃは、制御部２１ｃと、記憶部２２と、操作部２３と、表示体駆動部２４と、反射型表示体２５と、インタフェース部２６とを備える。インタフェース部２６は、所定の規格の端子を有する。なお、制御部２１ｃのメモリには、表示装置２０Ｃ固有のデバイス情報が記憶されている。デバイス情報とは、例えば、表示装置２０Ｃの機種を表す情報であり、あらかじめ決められた文字列等を含んでいる。制御部２１ｃは、インタフェース部２６を介してこのデバイス情報を出力する。
【００４７】
なお、本実施形態においては、表示装置２０Ｃにはいくつかの機種があるものとする。表示装置２０Ｃは、機種が異なると、デバイス情報も異なり、また、反射型表示体２５の構造や表示面の面積も異なり得る。ここにおいて、反射型表示体２５の構造が異なるというのは、例えば、コレステリック液晶分子の組成が異なるということである。
【００４８】
図１４は、本実施形態のスタンド装置１０Ｃの電気的構成を示すブロック図である。同図に示すように、スタンド装置１０Ｃは、制御部１２ｃと、光源駆動部１３と、光源部１４と、インタフェース部１６と、記憶部１７とを備える。インタフェース部１６は、上述したインタフェース部２６の端子に対応したコネクタを有しており、表示装置２０Ｃからデバイス情報を取得する。記憶部１７は、フラッシュメモリ等の記憶媒体を有し、光源部１４において照射すべき照射強度を表す複数の強度データと、この強度データと機種との対応関係を記述した参照テーブルとを記憶している。
なお、インタフェース部１６は、上述した載置センサ部１５の機能を兼ねている。すなわち、スタンド装置１０Ｃは、インタフェース部１６に表示装置２０Ｃが接続されているか否かを判断することによって表示装置２０Ｃの有無を検知している。
【００４９】
ここで、記憶部１７に記憶された参照テーブルの内容を説明する。
図１５は、参照テーブルの一例を示す模式図である。同図に示すように、参照テーブルには、表示装置２０Ｃの機種に応じた強度データが記述されている。なお、ここにおける機種とは、上述したデバイス情報から取得される情報である。同図に示した例の場合、機種が「Ａ」であるときには「強度データＤａ」が選択され、機種が「Ｂ」であるときには「強度データＤｂ」が選択される、ということである。
【００５０】
制御部１２ｃは、インタフェース部１６を介してデバイス情報を取得し、このデバイス情報に基づいて強度データを選択する。そして、制御部１２ｃは、選択した強度データが表す照射強度を表す制御信号を生成し、これを光源駆動部１３に供給する。
なお、強度データは、１つの機種につき１種類である必要はなく、１つの機種につき複数種類であってもよい。例えば、あらかじめいくつかの照射モードを設定し、それぞれの設定モードに応じた強度データをあらかじめ記憶部１７に記憶させておいてもよい。ここにおいて、照射モードとは、想定され得るいくつかの外光のパターンに応じたモードである。照射モードとしては、例えば、屋外の昼光に対応したモードや、屋内の蛍光灯（または白熱灯）による照明に応じたモードなどを挙げることができる。この場合、スタンド装置１０Ｃに対して、照射モードを選択するための操作子を設けてもよいし、表示装置２０Ｃの操作部２３を介して操作モードを指示し、操作モードに関する情報がデバイス情報とともに供給されるようにしてもよい。
【００５１】
このようにすれば、スタンド装置１０Ｃは、表示装置２０Ｃの機種に応じた光の照射を行うことが可能となる。一般に、表示装置２０Ｃの機種が異なった場合、表示面の面積や、コレステリック液晶分子の組成が異なる可能性もある。コレステリック液晶分子の組成が異なると、その分光反射特性も異なる可能性がある。そのため、表示装置２０Ｃの機種が異なった場合、同様の外光が照射されたとしても適切な照射光は異なる可能性がある。本実施形態のスタンド装置１０Ｃによれば、あらかじめ機種の相違に応じた照射光の照射強度を求めておき、これをデバイス情報に基づいて選択する構成を採用することで、それぞれの機種に応じた適切な照射光を照射することが可能となる。
【００５２】
［変形例］
以上においては、第１〜第３の実施形態を例示して本発明を説明したが、本発明は、上述した形態での実施に限らず、その他の種々の形態での実施も可能である。そこで、ここでは、他の実施形態の一例を説明する。
【００５３】
上述した第１実施形態においては、光源部１４は、表示装置２０Ａの下方から光を照射するとしたが、光を照射するのは下方からでなくともよい。要するに、照射光の正反射光による映り込みを抑制できるのであれば、それ以外の位置から照射しても問題はない。
また、光源部１４は、Ｒ、ＧおよびＢの３色の光源であるとしたが、より多色の光源を用いてもよい。光源の色が多くなるほど、照射光によってより多くの色を表現することが可能となる。
【００５４】
また、上述した第２実施形態においては、表示装置２０Ａの上方から第１の領域に対して光を照射し、表示装置２０Ａの下方から第２の領域に対して光を照射する構成としたが、例えば、指向性の高い光源を用いる場合であれば、指向する方向が異なる２つの光源を同一の位置に設けてもよい。このような光源としては、上述したＬＥＤの他に、レーザを用いることも可能である。
【００５５】
また、照射強度を決定するのは、観察者であってもよい。例えば、スタンド装置にツマミのような操作子を設けて、各色の光源による照射強度を観察者自身が調整できるようにしてもよい。このようにすれば、白色表示の色を観察者の好みや視感に応じて異ならせることが可能となる。
【００５６】
また、上述した実施形態においては、光源による照射強度が可変であったが、例えば、決められた表示装置が載置される場合であれば、光源はある決められた照射強度の光のみを照射する構成としてもよい。例えば、白色表示をする表示面が図１６に示すような分光反射特性を有する場合であれば、緑の波長域の反射光が多くなりがちであるといえる。このような場合には、分光強度分布が図１７や図１８のようになる光を照射すれば、反射光において不足しがちな波長域の成分を補うことが可能であるため、緑がかった表示からより白味を増した表示へと変化させることができる。
【００５７】
また、上述した実施形態においては、コレステリック液晶による表示面を用いていたが、これに限らず、反射型表示を行う種々の表示面を用いてよい。本発明は、例えば、電気泳動方式の表示装置にも適用することができる。
【図面の簡単な説明】
【００５８】
【図１】表示システムの外観を示す図である。
【図２】表示システムの外観を示す図である。
【図３】スタンド装置の構成を示すブロック図である。
【図４】ＬＥＤアレイの構造を概略的に示す図である。
【図５】光源部の位置と表示装置の表示面との関係を示す図である。
【図６】表示装置の構成を示すブロック図である。
【図７】スタンド装置の動作を示すフローチャートである。
【図８】反射光の分光強度特性を例示した模式図である。
【図９】反射光の分光強度特性を例示した模式図である。
【図１０】反射光の分光強度特性を例示した模式図である。
【図１１】スタンド装置の構成を示すブロック図である。
【図１２】表示装置を載置した状態のスタンド装置の外観を示す図である。
【図１３】表示装置の構成を示すブロック図である。
【図１４】スタンド装置の構成を示すブロック図である。
【図１５】参照テーブルの一例を示す模式図である。
【図１６】表示面の分光反射特性を例示した模式図である。
【図１７】照射光の分光強度分布を例示した模式図である。
【図１８】照射光の分光強度分布を例示した模式図である。
【符号の説明】
【００５９】
１００…表示システム、１０Ａ、１０Ｂ、１０Ｃ…スタンド装置、２０Ａ、２０Ｃ…表示装置、１１…光センサ部、１２、１２ｂ、１２ｃ…制御部、１３…光源駆動部、１４…光源部、１５…載置センサ部、１６…インタフェース部、１７…記憶部、２１、２１ｃ…制御部、２２…記憶部、２３…操作部、２４…表示体駆動部、２５…反射型表示体、２６…インタフェース部
【図１】
2008170575.tif 000003
【図２】
2008170575.tif 000004
【図３】
2008170575.tif 000005
【図４】
2008170575.tif 000006
【図５】
2008170575.tif 000007
【図６】
2008170575.tif 000008
【図７】
2008170575.tif 000009
【図８】
2008170575.tif 000010
【図９】
2008170575.tif 000011
【図１０】
2008170575.tif 000012
【図１１】
2008170575.tif 000013
【図１２】
2008170575.tif 000014
【図１３】
2008170575.tif 000015
【図１４】
2008170575.tif 000016
【図１５】
2008170575.tif 000017
【図１６】
2008170575.tif 000018
【図１７】
2008170575.tif 000019
【図１８】
2008170575.tif 000020